(57)【要約】      （修正有）【課題】ガラス材を介して視認される対象物が好適に視認され得る板材を提供する。【解決手段】板材を、板状をなし可撓性を有した表側及び裏側のガラス材１，２と、これら表側のガラス材１と裏側のガラス材２との間に位置し絹繊維を主体に構成されたシート材３とを備えてなり、前記シート材が、接着剤層を介して前記表側のガラス材と裏側のガラス材に止着されており、前記表側のガラス材及び裏側のガラス材の厚み寸法がそれぞれ０．５〜２ｍｍの範囲に設定されているものとした。【選択図】図４
0003192340.tif 000002
【実用新案登録請求の範囲】
【請求項１】
板状をなし可撓性を有した表側及び裏側のガラス材と、これら表側のガラス材と裏側のガラス材との間に位置し絹繊維を主体に構成されたシート材とを備えてなり、
前記シート材が、接着剤層を介して前記表側のガラス材と裏側のガラス材に止着されており、
前記表側のガラス材及び裏側のガラス材の厚み寸法がそれぞれ０．５〜２ｍｍの範囲に設定されていることを特徴とする板材。
【請求項２】
前記表側及び裏側のガラス材が矩形状をなしており、これら表側及び裏側のガラス材の上下寸法又は左右寸法の何れか一方が１０〜２７０ｃｍの範囲に設定されており、他方が１０〜１１０ｃｍの範囲に設定されている請求項１記載の板材。
【請求項３】
前記表側及び裏側のガラス材が矩形状をなしており、これら表側及び裏側のガラス材の上下寸法又は左右寸法の何れか一方が３０〜２７０ｃｍの範囲に設定されており、他方が３０〜１１０ｃｍの範囲に設定されている請求項１又は２記載の板材。
【請求項４】
什器の部品として用いられる請求項１、２又は３記載の板材。
【考案の詳細な説明】
【技術分野】
【０００１】
本考案は、板材に関する。
【背景技術】
【０００２】
従来から、対をなす透明の板状体の間にシート材を挟んでなり、種々の用途に適用される板材が知られている（例えば特許文献１参照）。
【０００３】
特に、透明の板状体としてガラス材が適用されている板材は、当該ガラス材特有の剛性や外観の良好さを生かして、例えば、店舗用のサインや什器、オフィスや商業スペースの扉、家具の化粧板等、多様な用途に用いられている。
【０００４】
ところが、この種の板材に採用されていた従来のガラス材は、強度を確保する観点から一定以上の厚み寸法（例えば、３ｍｍ以上の厚み寸法）を備えている必要があった。このため、従来のガラス材は可撓性を殆ど有していないものとなっていた。しかも、従来におけるガラス材を備えた板材は、当該ガラス材の厚み寸法の大きさに起因して、中間に配されたシート材が薄い緑色を帯びて視認されてしまうことがあり美観を損ねてしまうという不具合が生ずることがあった。
【先行技術文献】
【特許文献】
【０００５】
【特許文献１】実開平６−２０４３８号公報
【考案の概要】
【考案が解決しようとする課題】
【０００６】
本考案は、このような課題に着目してなされたものであって、主たる目的は、ガラス材を介して視認されるシート材が好適に視認され得る板材を提供することにある。
【課題を解決するための手段】
【０００７】
すなわち、本考案は次の構成をなしている。
【０００８】
請求項１に記載の板材は、板状をなし可撓性を有した表側及び裏側のガラス材と、これら表側のガラス材と裏側のガラス材との間に位置し絹繊維を主体に構成されたシート材とを備えてなり、前記シート材が、接着剤層を介して前記表側のガラス材と裏側のガラス材に止着されており、前記表側のガラス材及び裏側のガラス材の厚み寸法がそれぞれ０．５〜２ｍｍの範囲に設定されているものである。
【０００９】
請求項２に記載の板材は、請求項１に記載の構成において、前記表側及び裏側のガラス材が矩形状をなしており、これら表側及び裏側のガラス材の上下寸法又は左右寸法の何れか一方が１０〜２７０ｃｍの範囲に設定されており、他方が１０〜１１０ｃｍの範囲に設定されているものである。
【００１０】
請求項３に記載の板材は、請求項１又は２に記載の構成において、前記表側及び裏側のガラス材が矩形状をなしており、これら表側及び裏側のガラス材の上下寸法又は左右寸法の何れか一方が３０〜２７０ｃｍの範囲に設定されており、他方が３０〜１１０ｃｍの範囲に設定されているものである。
【００１１】
請求項４に記載の板材は、請求項１、２又は３に記載の構成において什器の部品として用いられるものである。
【考案の効果】
【００１２】
以上説明したように本考案によれば、ガラス材を介して視認されるシート材が好適に視認され得る板材を提供することができるものとなる。
【図面の簡単な説明】
【００１３】
【図１】本考案の一実施形態を示す斜視図。
【図２】同実施形態における正面図。
【図３】図２におけるＡ−Ａ線概略拡大断面図。
【図４】同実施形態における分解斜視図。
【考案を実施するための形態】
【００１４】
以下、本考案の一実施形態を、図１〜４を参照して説明する。なお、接着剤層４については、図３の概略拡大断面図にて示すものとし、他の図においては省略している。
【００１５】
この実施形態は、本考案を、刺繍を施した絹製のシート材３を使用してなる板材Ｐに適用したものである。
【００１６】
板材Ｐは、種々の用途に適用される。板材Ｐは、例えば、家具や道具等の什器を構成する部品として用いられる。より具体的に当該板材Ｐが適用される例を挙げれば、扉、間仕切り、家具の天板、家具の幕板、店舗用サイン等を挙げることができるが、これら具体例に限られるものではない。
【００１７】
板材Ｐは、板状をなし可撓性を有した表側及び裏側のガラス材１、２と、これら表側のガラス材１と裏側のガラス材２との間に位置し絹繊維を主体に構成されたシート材３とを備えている。そして、前記シート材３が、接着剤層４を介して前記表側のガラス材１と裏側のガラス材２にそれぞれ止着されている。
【００１８】
以下、板材Ｐについて詳述する。
【００１９】
前記表側のガラス材１及び裏側のガラス材２は、それぞれ可撓性を発揮し得るものである。すなわち、表側及び裏側のガラス材１、２は、厚み方向に対して一定の荷重が付加されても弾性的に撓み得るものとなっており、簡単に破壊され難いものとなっている。
【００２０】
表側及び裏側のガラス材１、２は、図３に示すように、厚み寸法ｗ１、ｗ２がそれぞれ０．５〜２ｍｍの範囲に設定されるものである。なお、この実施形態における表側及び裏側のガラス材１、２は、矩形状をなした透明板状のものであり、厚み寸法ｗ１、ｗ２が２ｍｍに設定されている。
【００２１】
表側及び裏側のガラス材１、２には、一般的に使用されているソーダガラス等では得られない強度と樹脂製のカバーでは得られない高い耐傷性を発揮しつつ艶やかな質感を呈し得る化学強化用特殊ガラスが適用されている。すなわち、表側及び裏側のガラス材１、２に、前述した化学強化用特殊ガラスを適用することにより、当該表側及び裏側のガラス材１、２に一定の可撓性を付与することができるものとなっている。
【００２２】
前記表側及び裏側のガラス材１、２は、図２に示すように、その上下寸法ｙ又は左右寸法ｘの何れか一方を１０〜２７０ｃｍの範囲に設定し、他方を１０〜１１０ｃｍの範囲に設定することが可能である。つまり、本実施形態に示す板材Ｐは、従来と比較して、厚み寸法を短く（薄く）設定しつつ広い面積を具備し得るものとなっている。なお、広い面積を確実に得るべく寸法設定する場合には、前記表側及び裏側のガラス材１、２の上下寸法ｙ又は左右寸法ｘの何れか一方を３０〜２７０ｃｍの範囲に設定し、他方を３０〜１１０ｃｍの範囲に設定すると好ましい。
【００２３】
前記シート材３は、絹繊維を主体に構成されている。シート材３は、薄いシート状のものであり、当該シート材３が挟持される表側及び裏側のガラス材１、２の大きさに合わせて上下寸法及び左右寸法が設定されている。シート材３には、任意の模様を表出させるために刺繍が施されている。
【００２４】
接着剤層４は、シート材３を表側及び裏側のガラス材１、２に接着するためのものであり、この実施形態では、ＥＶＡフィルム（エチレン酢酸ビニル共重合体フィルム）により構成されている。
【００２５】
以上の構成をなす板材Ｐは、表側のガラス材１と裏側のガラス材２とによってシート材３を挟んだ状態で接着することにより作られる。すなわち、板材Ｐは、表側のガラス材１、接着剤層４を形成するＥＶＡフィルム（図示せず）、シート材３、接着剤層４を形成するＥＶＡフィルム（図示せず）、裏側のガラス材２の順番に重ね合わせて積層体にし、次いで、当該積層体を適宜の方法で相寄る方向にプレスして一体的積層体を形成し、しかる後に、この一体的積層体を加熱することにより製造されるものである。
【００２６】
このように、本実施形態に係る板材Ｐは、板状をなし可撓性を有した表側及び裏側のガラス材１、２と、これら表側のガラス材１と裏側のガラス材２との間に位置し絹繊維を主体に構成されたシート材３とを備えている。そして、前記シート材３が、接着剤層４を介して前記表側のガラス材１と裏側のガラス材２に止着されており、前記表側のガラス材１及び裏側のガラス材２の厚み寸法ｗ１、ｗ２がそれぞれ０．５〜２ｍｍの範囲に設定されている。このため、表側及び裏側のガラス材１、２を介して視認される対象物であるシート材３が薄い緑色を帯びてしまうこともなく好適に視認され得る板材Ｐを提供することができるものとなる。しかも、表側のガラス材１及び裏側のガラス材２の厚み寸法ｗ１、ｗ２が従来のものと比較して極めて薄いものとなるため、板材Ｐの軽量化に寄与し得るものとなる。また、シート材３が絹繊維を主体に構成されたものであるため、接着剤層４が絹繊維間に形成される微細な空間に侵入し易く、表側及び裏側のガラス材１、２に対して好適に止着され得るものとなる。
【００２７】
前記シート材３は絹繊維を主体に構成されているので、絹の優れた外観を表出することができるものとなっている。
【００２８】
前記表側及び裏側のガラス材１、２が矩形状をなしているため、取り扱いに好適なものとなっている。また、表側及び裏側のガラス材１、２の上下寸法ｙ又は左右寸法ｘの何れか一方を１０〜２７０ｃｍの範囲に設定することができ、他方を１０〜１１０ｃｍの範囲に設定することができるものとなっている。このため、厚み寸法を０．５〜２ｍｍの範囲に設定した場合の従来のガラス材では実現できなかった面積、すなわち、前述した設定に基づいて一定の面積が実現された表側及び裏側のガラス材１、２を備えた板材Ｐを提供することができるものとなる。なお、前記表側及び裏側のガラス材１、２の上下寸法ｙ又は左右寸法ｘの何れか一方を３０〜２７０ｃｍの範囲に設定し、他方を３０〜１１０ｃｍの範囲に設定すれば、広い面積を確実に得ることができるものとなる。
【００２９】
しかして、板材Ｐは、例えば、什器の部品として用いられるものであるため、幅広い用途に適用され得るものとなっている。
【００３０】
なお、本考案は、以上に詳述した実施形態に限られるものではない。
【００３１】
例えば、ガラス材は、可撓性を有するものであればよく、本実施形態において詳述したものに限定されるものではない。
【００３２】
シート材は、絹繊維を主体に構成されたものであればよい。また、シート材は、絹繊維を主体に構成されていればよいので、シート材に絹繊維以外の素材が含まれていてもよい。
【００３３】
接着剤層を構成する接着剤は、種々のものがあり、本実施形態に示されたものに限定されないのはもちろんのことである。
【００３４】
その他、各部の具体的構成についても上記実施形態に限られるものではなく、本考案の趣旨を逸脱しない範囲で種々変形が可能である。
【符号の説明】
【００３５】
１…表側のガラス材
２…裏側のガラス材
３…シート材
４…接着剤層
【図１】
0003192340.tif 000003
【図２】
0003192340.tif 000004
【図３】
0003192340.tif 000005
【図４】
0003192340.tif 000006